【手続補正書】
【提出日】平成15年7月31日(2003.7.31)
【手続補正１】
【補正対象書類名】明細書
【補正対象項目名】特許請求の範囲
【補正方法】変更
【補正の内容】
【特許請求の範囲】
【請求項１】
回転することにより洗浄物を搬送する回転搬送体（７）と、
回転搬送体（７）上に自転可能に配設され、上部に洗浄物を載置する複数の回転テーブル（８）と、
前記洗浄物の洗浄、エアーブロー等の処理時に回転テーブル（８）を回転させる回転手段と、
回転搬送体（７）と回転テーブル（８）と前記回転手段とを覆って槽を形成する槽外壁（５９）と、
槽外壁（５９）内を洗浄またはエアーブロー等の処理工程別に区画し、かつ、回転搬送体（７）による洗浄物の搬送時には開口して前記洗浄物を通過させるとともに前記区画内の所定位置への位置決め時には遮蔽して各工程領域を形成する複数の開閉隔壁部と
を備えることを特徴とする旋回式洗浄機。
【請求項２】
回転搬送体上に自転可能に配設され、上部に洗浄物を載置する複数の回転テーブルを有する旋回式洗浄機において、
洗浄またはエアーブロー等の工程別に区画し、かつ回転搬送体（７）による洗浄物の搬送時に前記洗浄物を通過させる開口部を有する複数の隔壁開口部（９）と、
隔壁開口部（９）に開閉自在に設けられ、回転搬送体（７）による洗浄物の搬送時には隔壁開口部（９）を開けて隣接工程間で洗浄物を搬送可能とするとともに前記区画内の所定位置への位置決め時には前記工程毎に遮蔽して各工程領域を形成する複数の仕切り板（１３，１４，１５）と、
洗浄物の処理時に回転テーブル（８）を回転させる回転手段と
を備えることを特徴とする旋回式洗浄機。
【請求項３】
回転して洗浄物を搬送する回転搬送体と、
回転搬送体上に、かつ搬送方向に所定間隔で自転可能に配設され、上部に洗浄物を載置する複数の回転テーブルとを有し、
洗浄物が、回転搬送体により、洗浄物を搬入する交換領域から洗浄物を洗浄する洗浄領域を経て再び交換領域に搬送され、この交換領域で搬出される旋回式洗浄機において、
回転搬送体（７）の外周、上方及び下方を全て覆って槽（２）を形成する外周部（５７）、天井部（５４）及び底部（５８）を有する槽外壁（５９）と、
槽（２）の内部の、回転搬送体（７）上の搬送エリアを洗浄、乾燥、搬出及び搬入の各工程別に区画し、かつ回転搬送体（７）による搬送時に洗浄物を通過させる開口部をそれぞれの回転搬送体（７）の上方に有する複数の隔壁開口部（９）と、
複数の隔壁開口部（９）に開閉自在にそれぞれ設けられ、所定の開位置に位置決めされたときはそれぞれの隔壁開口部（９）を開けて隣接工程間で洗浄物を搬送可能とし、所定の閉位置に位置決めされたときは各工程毎に搬送エリアを遮蔽して各工程領域を形成する複数の仕切板（１３，１４，１５）と
を備えたことを特徴とする旋回式洗浄機。
【請求項４】
請求項３記載の旋回式洗浄機において、
洗浄工程及び乾燥工程の少なくともいずれか一方の工程に、回転搬送体（７）上の回転テーブル（８）に載置された洗浄物の上方、下方及び回転搬送体（７）の外周側方のそれぞれの方向から洗浄物をコの字状に囲繞して配設した、洗浄液又はエアーの噴射ノズルを備えたことを特徴とする旋回式洗浄機。
【手続補正２】
【補正対象書類名】明細書
【補正対象項目名】０００６
【補正方法】変更
【補正の内容】
【０００６】
【課題を解決するための手段、作用及び効果】
上記の目的を達成するために、第１発明は、回転することにより洗浄物を搬送する回転搬送体と、回転搬送体上に自転可能に配設され、上部に洗浄物を載置する複数の回転テーブルと、洗浄物の洗浄、エアーブロー等の処理時に回転テーブルを回転させる回転手段と、回転搬送体と回転テーブルと回転手段とを覆って槽を形成する槽外壁と、槽外壁内を洗浄またはエアーブロー等の処理工程別に区画し、かつ、回転搬送体による洗浄物の搬送時には開口して洗浄物を通過させるとともに区画内の所定位置への位置決め時には遮蔽して各工程領域を形成する複数の開閉隔壁部とを備えることを特徴としている。
第１発明によると、開閉隔壁部で区画された洗浄領域が洗浄室となるので、各回転テーブルに個別の洗浄室を必要としない。これにより、回転搬送体上の重量が小さくなり、コンパクトで安価な旋回式洗浄機を得ることができる。また、ある洗浄領域で使用された洗浄液は洗浄物に付着した量だけが次の洗浄領域に持ち出されるだけである。洗浄液の次工程への持ち出し量を低減できるので洗浄液の消費量を低減できると共に、次工程で使用される異なる洗浄液との混合を低減でき、洗浄効果を向上できる。乾燥工程のエアーブロー領域においては、洗浄液の前工程からの持ち込み量が洗浄物に付着している量だけであるので短いエアーブロー時間で洗浄物を乾燥させることができる。これにより、洗浄機の洗浄能率を向上することができる。さらに、全ての開閉隔壁部を開くと、槽内が大きく開放されるので、噴射ノズル及び回転テーブルの駆動機構等の交換修理作業が容易となり、メンテナンス時間が減少するため、洗浄機の稼動率を向上することができる。また、槽全体が同一空間になり、空気循環がよくなるため、排気装置による効率よいミスト回収が可能となり、洗浄機の洗浄能率を向上することができる。
第２発明は、回転搬送体上に自転可能に配設され、上部に洗浄物を載置する複数の回転テーブルを有する旋回式洗浄機において、洗浄またはエアーブロー等の工程別に区画し、かつ回転搬送体による洗浄物の搬送時に洗浄物を通過させる開口部を有する複数の隔壁開口部と、隔壁開口部に開閉自在に設けられ、回転搬送体による洗浄物の搬送時には隔壁開口部を開けて隣接工程間で洗浄物を搬送可能とするとともに区画内の所定位置への位置決め時には前記工程毎に遮蔽して各工程領域を形成する複数の仕切り板と、洗浄物の処理時に回転テーブルを回転させる回転手段とを備えることを特徴としている。
第２発明によると、仕切板で区画された洗浄領域が洗浄室となるので、各回転テーブルに個別の洗浄室を必要としない。これにより、回転搬送体上の重量が小さくなり、コンパクトで安価な旋回式洗浄機を得ることができる。また、ある洗浄領域で使用された洗浄液は洗浄物に付着した量だけが次の洗浄領域に持ち出されるだけである。洗浄液の次工程への持ち出し量を低減できるので洗浄液の消費量を低減できると共に、次工程で使用される異なる洗浄液との混合を低減でき、洗浄効果を向上できる。乾燥工程のエアーブロー領域においては、洗浄液の前工程からの持ち込み量が洗浄物に付着している量だけであるので短いエアーブロー時間で洗浄物を乾燥させることができる。これにより、洗浄機の洗浄能率を向上することができる。さらに、全ての仕切板を開位置にして全ての隔壁開口部を開くと、槽内が大きく開放されるので、噴射ノズル及び回転テーブルの駆動機構等の交換修理作業が容易となり、メンテナンス時間が減少するため、洗浄機の稼動率を向上することができる。また、槽全体が同一空間になり、空気循環がよくなるため、排気装置による効率よいミスト回収が可能となり、洗浄機の洗浄能率を向上することができる。
第３発明は、回転して洗浄物を搬送する回転搬送体と、回転搬送体上に、かつ搬送方向に所定間隔で自転可能に配設され、上部に洗浄物を載置する複数の回転テーブルとを有し、洗浄物が、回転搬送体により、洗浄物を搬入する交換領域から洗浄物を洗浄する洗浄領域を経て再び交換領域に搬送され、この交換領域で搬出される旋回式洗浄機において、回転搬送体の外周、上方及び下方を全て覆って槽を形成する外周部、天井部及び底部を有する槽外壁と、槽の内部の、回転搬送体上の搬送エリアを洗浄、乾燥、搬出及び搬入の各工程別に区画し、かつ回転搬送体による搬送時に洗浄物を通過させる開口部をそれぞれの回転搬送体の上方に有する複数の隔壁開口部と、複数の隔壁開口部に開閉自在にそれぞれ設けられ、所定の開位置に位置決めされたときはそれぞれの隔壁開口部を開けて隣接工程間で洗浄物を搬送可能とし、所定の閉位置に位置決めされたときは各工程毎に搬送エリアを遮蔽して各工程領域を形成する複数の仕切板とを備えた構成としている。


【手続補正３】
【補正対象書類名】明細書
【補正対象項目名】０００７
【補正方法】変更
【補正の内容】
【０００７】
第３発明によると、仕切板で区画された洗浄領域が洗浄室となるので、各回転テーブルに個別の洗浄室を必要としない。これにより、回転搬送体上の重量が小さくなり、コンパクトで安価な旋回式洗浄機を得ることができる。また、ある洗浄領域で使用された洗浄液は洗浄物に付着した量だけが次の洗浄領域に持ち出されるだけである。洗浄液の次工程への持ち出し量を低減できるので洗浄液の消費量を低減できると共に、次工程で使用される異なる洗浄液との混合を低減でき、洗浄効果を向上できる。乾燥工程のエアーブロー領域においては、洗浄液の前工程からの持ち込み量が洗浄物に付着している量だけであるので短いエアーブロー時間で洗浄物を乾燥させることができる。これにより、洗浄機の洗浄能率を向上することができる。さらに、全ての仕切板を開位置にして全ての隔壁開口部を開くと、槽内が大きく開放されるので、噴射ノズル及び回転テーブルの駆動機構等の交換修理作業が容易となり、メンテナンス時間が減少するため、洗浄機の稼動率を向上することができる。また、槽全体が同一空間になり、空気循環がよくなるため、排気装置による効率よいミスト回収が可能となり、洗浄機の洗浄能率を向上することができる。


【手続補正４】
【補正対象書類名】明細書
【補正対象項目名】０００８
【補正方法】変更
【補正の内容】
【０００８】
第４発明は第３発明に基づいて、洗浄工程及び乾燥工程の少なくともいずれか一方の工程に、回転搬送体上の回転テーブルに載置された洗浄物の上方、下方及び回転搬送体の外周側方のそれぞれの方向から洗浄物をコの字状に囲繞して配設した、洗浄液又はエアーの噴射ノズルを備えた構成としている。


【手続補正５】
【補正対象書類名】明細書
【補正対象項目名】０００９
【補正方法】変更
【補正の内容】
【０００９】
第４発明によると、仕切板で形成される洗浄領域が洗浄室となり、回転テーブルを囲う個別の洗浄室を設けていないので、回転テーブル上の洗浄物の周囲が開放され、よって噴射ノズルを洗浄物をコの字形で囲繞するように配設できる。これにより、洗浄物の隅々まで洗浄液又はエアーが吹き付けられるので、優れた洗浄効果と洗浄能率をもつ旋回式洗浄機を得ることができる。